(57)【特許請求の範囲】
【請求項１】
データ通信端末間で通信回線に接続された通信装置を介してデータ伝送を行なうためのデータ通信システムにおいて、データ通信端末からの指示を元に通信接続相手先との間で接続・切断・通信データ伝送を行なう通信手順を複数記憶する通信手順記憶手段と、前記通信手順記憶手段に複数記憶した通信手順の中から特定の通信手順を選択する実行指示手段と、選択された通信手順を実行する通信実行手段と、通信接続相手先との間で通信するデータを記憶するデータ記憶手段と、データ通信端末と前記データ記憶手段との間でデータを伝送する伝送手段とを備えた事を特徴とする通信装置。
【請求項２】
通信接続相手先の接続電話番号に対応させ各通信手順を実行する通信実行手段を備えた事を特徴とする請求項１に記載の通信装置。
【請求項３】
前記実行指示手段から指示された回数または組合せを元に対応した通信手順を実行する通信実行手段を備えた事を特徴とする請求項１に記載の通信装置。
【請求項４】
前記実行指示手段の指示を元に最後に実行した通信手順を再実行する通信実行手段を備えた事を特徴とする請求項１に記載の通信装置。
【請求項５】
現在の時刻に対応した通信手順を実行する通信実行手段を備えた事を特徴とする請求項１に記載の通信装置。
【請求項６】
接続・切断に関する接続手順と通信データ伝送に関する伝送手順とを別々に記憶する通信手順記憶手段と、前記通信手順記憶手段にて記憶してある接続手順と伝送手順を複数の実行指示手段に対応させ各実行指示手段の指示を元に対応した接続手順と伝送手順とを実行する通信実行手段を備えた事を特徴とする請求項１に記載の通信装置。
【発明の詳細な説明】
【０００１】
【発明の属する技術分野】
本発明は、データ通信端末間で通信回線に接続された通信装置を介してデータ伝送を行なうためのデータ通信システム及びその通信装置に関する。
【０００２】
【従来の技術】
近年、パーソナルコンピュータや情報携帯端末などのデータ通信端末（以下、端末）を使って情報交換を行なうデータ通信では、各通信端末は、電話回線や有線、無線などのさまざまな通信回線に接続する通信装置を介して通信接続相手先に接続し、相手端末との間で通信データの伝送を行なっている。
【０００３】
このようなデータ通信システムにおける方式として、
（１）データ通信端末（以下端末と略記）と通信装置を接続して通信手順を指示実行する方式と、
（２）通信装置自身に端末としての機能を融合し通信相手を特定する事で通信手順を単一化し実行する方式と、
（３）例えば特開平７−３３４４３９号公報に示される「データ通信システム及びそのターミナル装置」においては、端末から通信装置に対し予め通信手順を指示しておいて通信装置が端末と独立して通信手順を実行する方式がある。
【０００４】
近年では、端末及び通信装置の小型化が進み、使用者が情報携帯端末に代表される端末や携帯電話に代表される通信装置を所持して屋外において使用する事が多くなってきた。
【０００５】
（１）における方式の場合、端末と通信装置の接続が必要となる事から複数の通信手順ごとに端末を操作する必要があるので使用者への操作性の悪化、端末と通信装置の双方を携帯する必要があるために携帯性の悪化という問題が存在しており、また、端末の通信装置への電波妨害による通信品質の低下という問題も抱えていた。
【０００６】
（２）における方式の場合、通信装置が端末と融合しておりまた特定の通信手順を実行することによる通信接続相手先の変更を行ないにくい事やメール配送ホストの変更を行ないにくいといった使用者への操作性、携帯性の向上を図っているが、通信相手が特定される為、通信手順を変更できないという保守性の悪化という問題を抱えていた。
【０００７】
（３）における方式は、通信装置が端末と独立して動作し、必要な一連の通信を実行するので、操作性、携帯性、通信手順の保守性の向上を図っている。
【０００８】
図５は、従来のデータ通信システムを示す構成図である。
データ通信システムにおける本発明の通信装置の位置は、図５を見れば、当業者に明白なので説明は省略する。
【０００９】
図６は、従来の通信装置の構成を示す図である。
図６に示すように、従来の通信装置は、データ通信端末６２０１からの指示を元に通信接続相手先との間で接続・切断・通信データ伝送を行なう通信手順を複数記憶する通信手順記憶部６１０１と、通信手順記憶部６１０１に複数記憶した通信手順を逐次実行する通信実行部６１０２と、通信接続相手先との間で通信するデータを記憶するデータ記憶部６１０３と、端末６２０１との間で前記データ記憶部６１０３に記憶してあるデータを伝送する伝送部６１０４と電話番号等を入力するキーボード１０６とアンテナ１０７とを備えている。
【００１０】
以上のように構成された通信装置の動作を、以下に説明する。
まず、端末６２０１は、通信接続相手先との間で接続・切断・通信データ伝送を行なう通信手順を信号線Ｂ６０１へ出力し、通信するデータを信号線Ｂ６０２へ出力する。伝送部６１０４は、信号線Ｂ６０１を介して入力した通信手順を信号線Ａ６１０へ出力する。
【００１１】
通信手順記憶部６１０１は、信号線Ａ６１０を介して通信手順を複数入力記憶し、逐次、通信手順を信号線Ａ６０１へ出力する。
【００１２】
通信実行部６１０２は、信号線Ａ６０１を介して通信手順を複数入力し、信号線Ａ６０２を介して送信データを入力し、通信手順に従って通信接続相手先との間で接続・切断・送信データの送信を逐次実行し、また得られた受信データは信号線Ａ６０２へ出力する。データ記憶部６１０３は、信号線Ａ６０３を介して送信するデータを入力記憶し、送信が実行される場合に信号線Ａ６０２へ送信データを出力し、また、信号線Ａ６０２を介して受信データを入力記憶し、記憶した受信データを信号線Ａ６０３へ出力する。伝送部６１０４は、信号線Ａ６０３を介して受信データを入力し、データ通信端末が接続されている場合に、受信データを信号線Ｂ６０２へ出力する。
【００１３】
【発明が解決しようとする課題】
しかしながら、上記従来のデータ通信システムにおいては、端末が通信装置に対し通信手順及び実行を指示し、後に通信装置が独立して指示内容を実行する事から、通信手順及び実行に関して使用者が変更を加える必要がある場合に、再び端末と通信装置を接続し必要な変更操作を実施しなければならない操作性の悪化や、携帯性の低下といった問題があった。
【００１４】
本発明は、上記の問題を解決して、操作性および携帯性を向上させる事を目的とするものである。
【００１５】
【課題を解決するための手段】
上記課題を解決するために本発明の通信装置は、特定の通信手段を選択する実行指示手段を装備し、実行指示手段の指示を元に通信手順記憶手段に複数記憶した通信手順を選択実行する通信実行手段を備えたことを特徴とするものである。
【００１６】
この構成により、端末と通信装置が切り離されている場合でも、再び端末を必要とする事なく、容易に記憶している通信手順を実行したり通信手順を組み替えたりすることができる。
【００１７】
【発明の実施の形態】
本発明の請求項１に記載の発明は、端末からの指示を元に通信接続相手先との間で接続・切断・通信データ伝送を行なう通信手順を複数記憶する通信手順記憶手段と、特定の通信手順を選択する実行指示手段と、選択された通信手順を実行する通信実行手段と、通信接続相手先との間で通信するデータを記憶するデータ記憶手段と、端末との間で前記データ記憶手段に記憶してあるデータを伝送する伝送手段とを備えた通信装置であって、使用者が端末と通信装置が切り離されている通信装置だけを携帯する場合、通信装置のみで実行指示手段による指示を行なう事で容易に記憶された通信手順を実行する事ができるので、操作性および携帯性に優れている。
【００１８】
本発明の請求項２に記載の発明は、請求項１に記載の発明において、通信手順に指示された通信接続相手先の接続電話番号に対応して各通信手順を実行する通信実行手段を備えたものであり、使用者が通信装置で電話番号を指示した場合、通信装置のみで対応する通信接続相手先との間にて通信を実行するので、より操作性に優れている。
【００１９】
本発明の請求項３に記載の発明は、請求項１に記載の発明において、実行指示手段に指示された回数または組合せを元に対応した通信手順を実行する実行手段を備えたものであり、記憶された通信手順の中から使用者が好みの通信手順を選択したい場合、通信装置のみで複数個記憶されている通信手順の中の１つを指示する事で、対応する通信接続相手先との間にて通信を実行するので、より操作性に優れている。
【００２０】
本発明の請求項４に記載の発明は、請求項１に記載の発明において、実行指示手段にて最後に指示された通信手順を実行する通信実行手段を備えたものであり、使用者が同じ通信手順を再実行したい場合、通信装置のみで通信を再実行するので、より操作性に優れている。
【００２１】
本発明の請求項５に記載の発明は、請求項１に記載の発明において、現在の時刻に対応した通信手順を実行する通信実行手段を備えたものであり、使用者が特定の時刻に通信接続相手先との間で自動的に通信データの伝送を行ないたい場合、通信装置のみで対応する通信接続相手先との間にて通信を実行するので、より操作性に優れている。
【００２２】
本発明の請求項６に記載の発明は、請求項１に記載の発明において、接続・切断に関する接続手順と通信データ伝送に関する伝送手順とを別々に記憶する通信手順記憶手段と、通信手順記憶手段にて記憶してある接続手順と伝送手順を複数の実行指示手段に対応させ各実行指示手段の指示を元に対応した接続手順と伝送手順とを実行する通信実行手段とを備えたものであり、使用者が通信接続相手先に対する接続手順は同じでも伝送手順を組み替えて通信データの伝送を行ないたい場合、通信装置のみで接続手順と伝送手順を選択し、対応する通信接続相手先との間にて通信を実行するので、より操作性に優れている。
【００２３】
以下、本発明の実施の形態を図面を参照しながら詳細に説明する。
（実施の形態１）
図１は、本発明の実施の形態１に係る通信装置の構成図である。
【００２４】
図１に示すように、本発明の実施の形態１の通信装置は、通信手順記憶部１０１と、通信実行部１０２と、データ記憶部１０３と、伝送部１０４と、実行指示部１０５と、キーボード１０６と、アンテナ１０７とで構成されている。
【００２５】
なお、説明を簡単にするために、実施の形態１においては、実行指示部１０５は液晶画面等の表示手段を持ち、指示内容を逐次表示確認できるよう構成し、通信実行部１０２は無線電話通信手段を持ち、通信接続相手先は電話番号で特定できるよう構成し、キーボード１０６はキーボード等のボタン式入力手段にて構成し、通信接続相手先との間で伝送するデータは相手からの受信データのみを扱うとする。
【００２６】
図２（Ａ）は通信手順記憶部１０１にて記憶される通信手順の例を示す図である。図２（Ｂ）はデータ記憶部１０３にて記憶される受信データ格納領域を示す図である。
【００２７】
端末は、図２（Ａ）に示すように１つ以上の通信接続相手先毎の通信手順を作成する。通信手順の内容は、接続時刻、相手先電話番号、認証内容、メール配送制御情報が含まれる。端末は、信号線Ｂ０１へ前記の通信手順を出力する。
【００２８】
伝送部１０４は、信号線Ｂ０１を介して入力した通信手順を信号線Ａ１０へ出力する。
【００２９】
通信手順記憶部１０１は、信号線Ａ１０を介して入力した図２（Ａ）に示される通信手順を複数記憶し、記憶した通信手順を信号線Ａ０１へ出力する。
【００３０】
実行指示部１０５は、キーボード１０６において番号が刻まれたボタンが押されると、ボタン番号情報を信号線Ａ０５へ出力する。
【００３１】
通信実行部１０２は、信号線Ａ０５を介してボタン番号情報を入力し、信号線Ａ０１を介して入力した複数の通信手順の中から番号情報に対応する通信手順を選択し、通信手順に含まれる相手先電話番号に従い無線電話をかけ、認証に従い相手データ通信との間で認証を行ない、図５に示したように、メール配送制御に従いメール配送ホストに対し受信データを受信し、受信した通信データを信号線Ａ０２へ出力する。
【００３２】
データ記憶部１０３は、信号線Ａ０２を介して通信データである受信データを入力し、図２（Ｂ）に示すように実行された通信手順に対応する伝送データ格納バッファに記憶し、記憶した受信データを信号線Ａ０３へ出力する。
【００３３】
伝送部１０４は、信号線Ａ０３を介して受信データを入力し、データ通信端末と接続された場合に、受信データを信号線Ｂ０２へ出力する。
【００３４】
端末は、信号線Ｂ０２を介して図２に示すように通信手順に対応する受信データを伝送データ格納部（Ｂ）へ入力する。
【００３５】
この構成によれば、使用者が端末と通信装置が切り離されている通信装置だけを携帯する場合、実行指示手段による通信手順の実行ができるので、容易に記憶された通信手順を実行する事ができる。
【００３６】
また、通信実行部１０２は、信号線Ａ０５を介して入力したボタン番号情報を、信号線Ａ０１を介して入力した通信手順に含まれる番号情報と逐次比較を行ない、入力された番号情報が通信手順の番号情報に合致するかを比較すれば、対応する通信手順を選択し、通信手順に含まれる相手先電話番号に従った通信手順を実行できるので、使用者がキーボード１０６から電話番号を指示するだけで対応する通信接続相手先との間にて通信を実行するので、容易に通信装置のみで通信手順の実行ができる。
【００３７】
また、通信実行部１０２は、信号線Ａ０５を介して入力した複数のボタン番号情報の組合せから一意の数値を管理し、信号線Ａ０１を介して入力した複数の通信手順の中から番号情報に対応する通信手順を選択し実行すれば、使用者はより少ないボタン押下操作のみで通信を実行するので、より容易に通信手順の実行ができる。
【００３８】
また、通信実行部１０２は、信号線Ａ０５を介して入力したボタン番号情報が通信の再実行を意味する事を管理し、信号線Ａ０１を介して入力した複数の通信手順の中から最後に実行した通信手順を再度選択し実行すれば、使用者は１回のボタン押下操作のみで通信を実行するので、より容易に通信手順の実行ができる。
【００３９】
また、通信実行部１０２は、時計を有して現在の時刻を管理し、信号線Ａ０１を介して入力した複数の通信手順の中から接続時刻に合致した時、対応した通信手順を選択し実行すれば、指定の時刻に自動的に通信手順を自動実行できるので、より容易に通信手順の実行ができる。
【００４０】
なお、以上の説明では、実行指示部１０５は、液晶表示画面等の表示手段を含んで構成した例で説明したが、その他の指示内容が確認できる表示手段についても同様に実施可能である。
【００４１】
また、通信実行部１０２は、無線通信手段で構成した例で説明したが、その他の有線を問わず通信回線を利用する場合についても同様に実施可能である。また、キーボード１０６は、ボタン式入力手段で構成した例で説明したが、その他の回転式入力手段、タブレット等のソフトウェアの介在を伴う入力手段についても番号情報が出力できるものであれば同様に実施可能である。
【００４２】
（実施の形態２）
図３は本発明の実施の形態２に係る通信装置の構成を示す図である。
【００４３】
図３に示すように、この通信装置は、通信手順記憶部３０１と、通信実行部３０２と、データ記憶部１０３と、伝送部３０４と、実行指示部１０５と、キーボード１０６と、アンテナ１０７とで構成されている。
【００４４】
図４の（Ａ）は通信手順記憶部３０１にて記憶される接続手順の例を示す図である。図４の（Ｃ）は、通信手順記憶部３０１にて記憶される伝送手順の例を示す図である。図４の（Ｂ）はデータ記憶部１０３にて記憶される受信データ格納領域を示す図である。
【００４５】
端末は、図４の（Ａ）、（Ｃ）に示すように１つ以上の通信接続相手先毎の接続手順および伝送手順を組合せとする通信手順を作成する。通信手順の内容は、接続手順として相手先電話番号、認証内容、伝送手順としてメール配送制御情報が含まれる。端末は、信号線Ｂ０１へ通信手順を出力し、信号線Ｂ０３へ伝送手順を出力する。
【００４６】
伝送部３０４は、信号線Ｂ０１を介して入力した接続手順を信号線Ａ１０へ出力し、また信号線Ｂ０３を介して入力した伝送手順を信号線Ａ１１へ出力する。
【００４７】
通信手順記憶部３０１は、信号線Ａ１０を介して入力した図４の（Ａ）に示される接続手順を複数記憶し、信号線Ａ１１を介して入力した図４の（Ｃ）に示される伝送手順を複数記憶し、記憶した接続手順を信号線Ａ０１へ出力し、記憶した伝送手順を信号線Ａ１２へ出力する。
【００４８】
通信実行部３０２は、信号線Ａ０５を介してボタン番号情報を２つ入力し、信号線Ａ０１を介して入力した複数の接続手順および信号線Ａ１２を介して入力した伝送手順の中から、１つ目のボタン番号情報に対応する接続手順を、また２つ目のボタン番号情報に対応する伝送手順を選択し、接続手順に含まれる相手先電話番号に従い無線電話をかけ、認証に従い相手データ通信との間で認証を行ない、伝送手順に含まれるメール配送制御に従いメール配送ホストに対し受信データを受信し、受信した通信データを信号線Ａ０２へ出力する。
【００４９】
この構成によれば、使用者が端末と通信装置が切り離されている通信装置だけを携帯する場合、図４に示される通信手順のように接続手順と伝送手順にそれぞれ共通な手順が含まれているような場合、使用者が通信装置のみでそれぞれの組合せを指示して接続手順および伝送手順を選択し、結果得られた通信手順の実行ができるので、容易に通信記憶された通信手順を実行する事ができる。
【００５０】
【発明の効果】
以上詳述したように、本発明によれば、データ通信端末と通信装置が切り離されている場合でも、再び端末を必要とする事なく、容易に記憶している通信手順を実行したり通信手順を組み替えて実行するのが容易である。
【図面の簡単な説明】
【図１】本発明の実施の形態１の通信装置の構成図
【図２】（Ａ）本発明の実施の形態１の通信手順記憶部にて記憶される通信手順の例を示す図
（Ｂ）本発明の実施の形態１のデータ記憶部にて記憶される受信データ格納領域を示す図
【図３】本発明の実施の形態２の通信装置の構成図
【図４】（Ａ）本発明の実施の形態２の通信手順記憶部にて記憶される接続手順を示す図
（Ｂ）本発明の実施の形態２のデータ記憶部にて記憶される受信データ格納領域を示す図
（Ｃ）は本発明の実施の形態２の通信手順記憶部にて記憶される伝送手順を示す図
【図５】従来のデータ通信システムの構成を示す構成図
【図６】従来の通信システムの構成を示す図
【符号の説明】
１０１  通信手順記憶部
１０２  通信実行部
１０３  データ記憶部
１０４  伝送部
１０５  実行指示部
１０６  キーボード
１０７  アンテナ
２０１  データ通信端末
３０１  通信手順記憶部
３０２  通信実行部
３０４  伝送部
６１０１  従来の通信装置の通信手順記憶部
６１０２  従来の通信装置の通信実行部
６１０３  従来の通信装置のデータ記憶部
６１０４  従来の通信装置の伝送部
６２０１  従来の通信装置のデータ通信端末
【図１】
0004089011.tif 000002
【図２】
0004089011.tif 000003
【図３】
0004089011.tif 000004
【図４】
0004089011.tif 000005
【図５】
0004089011.tif 000006
【図６】
0004089011.tif 000007